【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
本体と、前記本体における地盤穿孔手段とを備えるグラウンドアンカであって、ここにおいて、前記地盤穿孔手段が、第１の先細部材と前記第１の先細部材に対して横断して延在している複数の第２の先細部材を備え、前記第１の先細部材と前記第２の先細部材の各々は前記本体から互いに先細となっている対向する縁を有し、そして地盤穿孔手段はさらに各先細部材に隣接する領域において本体に設けられる複数の歯を含んでいる、グラウンドアンカ。
【請求項２】
前記第１の先細部材は、２つの対向する縁を有し、前記第１の先細部材の対向する縁の各々は、前記第１の先細部材の前記対向する縁に向かって前記本体から先細となっている、
請求項１に記載のグラウンドアンカ。
【請求項３】
前記第１の先細部材は、前記対向する縁の間で延在する２つの対向する面を有し、前記対向する面が互いに実質的に平行である、請求項２に記載のグラウンドアンカ。
【請求項４】
前記対向する面の各々が、実質的に平面であり、実質的に三角形である、請求項３に記載のグラウンドアンカ。
【請求項５】
前記第２の先細部材は前記第１の先細部材の前記面の各々から横断して延在している、
請求項３または４に記載のグラウンドアンカ。
【請求項６】
前記第２の先細部材の各々は、二つの対向する縁を有し、各第２の先細部材の前記対向する縁は、関連する第２の先細部材の前記対向する縁に向かって前記本体から先細となっている、
請求項１から５のいずれか一項に記載のグラウンドアンカ。
【請求項７】
前記第１の先細部材と前記第２の先細部材は一対の対向するくぼみをそれらの間に規定し、前記第２の先細部材は対向する先細の壁でくぼみを構成し、前記くぼみの各々に前記歯の一つをそれぞれ備えている、
請求項１から６のいずれか一項に記載のグラウンドアンカ。
【請求項８】
前記グラウンドアンカは、前記グラウンドアンカを地盤へと押し込むための押し込み手段と協働するための押し込み形成部を含む、請求項１ないし７の何れか一項に記載のグラウンドアンカ。
【請求項９】
前記押し込み形成部は、細長い穴であり、前記細長い穴は、前記本体の後端にある開口から前記本体内へと実質的に軸方向に延在する、請求項８に記載のグラウンドアンカ。
【請求項１０】
前記押し込み形成部は、細長いメクラ穴からなる、請求項９に記載のグラウンドアンカ。
【請求項１１】
地盤安定化構成部を自身に固定するための固定形成部を含み、前記固定形成部が、前記本体の開口部を備え、前記開口部が、前記開口部を貫く開口を定める、請求項１から１０のいずれか一項に記載のグラウンドアンカ。
【請求項１２】
前記本体が主軸を有し、前記先細部材または各々の先細部材が、少なくとも一方が前記主軸に対して鋭角で延在する第１の縁と第２の縁とを備える、請求項１から１１の何れか一項に記載のグラウンドアンカ。
【請求項１３】
前記先細部材または各々の先細部材の前記第１の縁と前記第２の縁との両方が、前記主軸に対して鋭角で延在する、請求項１２に記載のグラウンドアンカ。
【請求項１４】
前記歯が鋸歯からなる、請求項１から１３のいずれか一項に記載のグラウンドアンカ。
【請求項１５】
前記本体が前端と後端とを有し、前記地盤穿孔手段が前記本体の前記前端に設けられ、前記本体の前記前端が実質的にＶ字形の形成部を有し、前記実質的にＶ字形の形成部が第１の前面と第２の前面とを含み、前記前面の各々が前記第１の先細部材のそれぞれの対向する側に延在する、請求項１から１４のいずれか一項に記載のグラウンドアンカ。
【請求項１６】
前記歯が前記第１および第２の前面に設けられる、請求項１５に記載のグラウンドアンカ。
【請求項１７】
前記第１および第２の前面が、前記第１の先細部材に対して横断して延在する、請求項１６に記載のグラウンドアンカ。
【請求項１８】
前記第１および第２の前面が、前記第１の先細部材に対して実質的に直角に延在し、前記歯が前記第１の先細部材に対して実質的に直角に延在する、請求項１６または１７に記載のグラウンドアンカ。
【請求項１９】
前記第１および第２の前面が、前記第１の先細部材から後方へと先細になり、前記歯が前記第１の先細部材から後方へと先細になる、請求項１６または１７に記載のグラウンドアンカ。
【手続補正２】
【補正対象書類名】明細書
【補正対象項目名】００４３
【補正方法】変更
【補正の内容】
【００４３】
様々な変形が、本発明の範囲から逸脱することなく行われ得る。例えば、実質的に平坦
な先細部材の数は変更されてもよく、また、歯の数は変更されてもよい。
ここに、出願当初の特許請求の範囲の記載事項を付記する。
［１］  本体と、前記本体における地盤穿孔手段とを備えるグラウンドアンカであって、ここにおいて、前記地盤穿孔手段が、互いに向かって先細になる対向する縁を有する先細部材を備える、グラウンドアンカ。
［２］  前記先細部材が、前記対向する縁の間で延在する２つの対向する面を有し、前記対向する面が互いと実質的に平行である、［１］に記載のグラウンドアンカ。
［３］  前記対向する面の各々が、実質的に平面であり、実質的に三角形である、［２］に記載のグラウンドアンカ。
［４］  前記グラウンドアンカが、前記グラウンドアンカを地盤へと押し込むための押し込み手段と協働するための押し込み形成部を含む、［１］、［２］または［３］の何れか一項に記載のグラウンドアンカ。
［５］  前記押し込み形成部が細長い穴であり、前記細長い穴が、前記本体の後端にある開口から前記本体内へと実質的に軸方向に延在する、［４］に記載のグラウンドアンカ。
［６］  前記押し込み形成部が細長いメクラ穴を備える、［５］に記載のグラウンドアンカ。
［７］  地盤安定化構成部を自身に固定するための固定形成部を含み、前記固定形成部が、前記本体の開口部を備え、前記開口部が、前記開口部を貫く開口を定める、［１］から［６］のいずれか一項に記載のグラウンドアンカ。
［８］  前記地盤穿孔手段が複数の先細部材を備え、前記先細部材のうちの少なくとも１つが、前記先細部材のうちの別のものに対して横断して延在する、［１］から［７］のいずれか一項に記載のグラウンドアンカ。
［９］  前記地盤穿孔手段が、第１の先細部材と、前記第１の先細部材に対して横断して延在する複数の第２の先細部材とを備える、［８］に記載のグラウンドアンカ。
［１０］  前記先細部材の各々が、互いに向かって先細になる対向する縁を有し、前記先細部材の各々が、前記対向する縁の間で延在する対向する面を有し、前記対向する面が互いと実質的に平行である、［９］に記載のグラウンドアンカ。
［１１］  前記対向する面の各々が、実質的に平面であり、実質的に三角形である、［１０］に記載のグラウンドアンカ。
［１２］  前記本体が主要な軸を有し、前記先細部材または各々の先細部材が、少なくとも一方が前記主要な軸に対して鋭角で延在する第１の縁と第２の縁とを備える、［９］、［１０］または［１１］の何れか一項に記載のグラウンドアンカ。
［１３］  前記先細部材または各々の先細部材の前記第１の縁と前記第２の縁との両方が、前記主要な軸に対して鋭角で延在する、［１２］に記載のグラウンドアンカ。
［１４］  前記地盤穿孔手段が、前記先細部材または各々の先細部材に隣接する領域において、前記本体に設けられる歯をさらに含む、［９］から［１３］のいずれか一項に記載のグラウンドアンカ。
［１５］  前記歯が鋸歯を備える、［１４］に記載のグラウンドアンカ。
［１６］  前記本体が前端と後端とを有し、前記地盤穿孔手段が前記本体の前記前端に設けられ、
前記本体の前記前端が実質的にＶ字形の形成部を有し、前記実質的にＶ字形の形成部が第１の前面と第２の前面とを含み、前記前面の各々が前記第１の先細部材のそれぞれの対向する側で延在する、［９］から［１５］のいずれか一項に記載のグラウンドアンカ。
［１７］  ［１４］または［１５］に従属するとき、前記歯が前記第１の前面および前記第２の前面に設けられる、［１６］に記載のグラウンドアンカ。
［１８］  前記第１の前面および前記第２の前面が、前記第１の先細部材に対して横断して延在する、［１７］に記載のグラウンドアンカ。
［１９］  前記第１の前面および前記第２の前面が、前記第１の先細部材に対して実質的に直角に延在し、前記歯が前記第１の先細部材に対して実質的に直角に延在する、［１７］または［１８］に記載のグラウンドアンカ。
［２０］  前記第１の前面および前記第２の前面が、前記第１の先細部材から後方へと先細になり、前記歯が前記第１の先細部材から後方へと先細になる、［１７］または［１８］に記載のグラウンドアンカ。
［２１］  添付の図面の図３から図７を参照しつつ本特許請求の範囲に実質的に記載されるようなグラウンドアンカ。
［２２］  添付の図面の図８と図９とを参照しつつ本特許請求の範囲に実質的に記載されるようなグラウンドアンカ。